(57)【要約】【課題】フォーカス制御に悪影響を与えることなく分光透過率データの送信が可能な交換レンズおよびカメラボディを提供する。【解決手段】カメラボディが着脱可能に取り付けられる取付手段と、フォーカシングレンズを有する結像光学系と、フォーカシングレンズを駆動してフォーカシングレンズの被駆動状態を変化させる駆動手段と、第１の伝送路を介してカメラボディに結像光学系の分光透過率特性を表す分光透過率情報を送信する第１の送信手段と、第１の伝送路とは異なる第２の伝送路を介してカメラボディにフォーカシングレンズの被駆動状態を送信する第２の送信手段とを備え、分光透過率情報は、画像生成に使用される波長域の各波長に対応する、結像光学系の透過率を表す情報である交換レンズ。【選択図】図１
2013003262.tif 000002
【特許請求の範囲】
【請求項１】
カメラボディが着脱可能に取り付けられる取付手段と、
フォーカシングレンズを有する結像光学系と、
前記フォーカシングレンズを駆動して前記フォーカシングレンズの被駆動状態を変化させる駆動手段と、
第１の伝送路を介して前記カメラボディに前記結像光学系の分光透過率特性を表す分光透過率情報を送信する第１の送信手段と、
前記第１の伝送路とは異なる第２の伝送路を介して前記カメラボディに前記フォーカシングレンズの被駆動状態を送信する第２の送信手段とを備え、
前記分光透過率情報は、画像生成に使用される波長域の各波長に対応する、前記結像光学系の透過率を表す情報であることを特徴とする交換レンズ。
【請求項２】
請求項１に記載の交換レンズにおいて、
前記分光透過率情報は、３８０ｎｍから７８０ｎｍまで１０ｎｍ毎に選択された４１通りの波長の各々に対応する、前記結像光学系の光軸近傍における透過率を表す情報であることを特徴とする交換レンズ。
【請求項３】
請求項２に記載の交換レンズにおいて、
前記分光透過率情報は、前記４１通りの波長について、隣り合う２つの波長の透過率の差が所定量以上である場合、その２つの波長の間の波長に対応する透過率を更に含むことを特徴とする交換レンズ。
【請求項４】
請求項３に記載の交換レンズにおいて、
前記分光透過率情報は、３８０ｎｍと、７８０ｎｍより小さい所定の波長との間において、隣り合う２つの波長の透過率の差が所定量以上であることを特徴とする交換レンズ。
【請求項５】
請求項１〜４のいずれか一項に記載の交換レンズにおいて、
前記結像光学系の光路上の光学フィルタの有無を検知するフィルタ検知手段を更に備え、
前記第１の送信手段は、前記フィルタ検知手段により前記光学フィルタの存在が検知された場合には、前記結像光学系と前記光学フィルタとを組み合わせた光学系の分光透過率特性を表す前記分光透過率情報を送信することを特徴とする交換レンズ。
【請求項６】
請求項５に記載の交換レンズにおいて、
前記結像光学系の光路上の作用位置と、前記結像光学系の光路から外れた退避位置とを移動可能な光学フィルタを更に備えることを特徴とする交換レンズ。
【請求項７】
請求項５または６に記載の交換レンズにおいて、
前記第１の送信手段は、前記フィルタ検知手段による前記光学フィルタの有無の検知結果が変化したことに応じて前記分光透過率情報を送信することを特徴とする交換レンズ。
【請求項８】
請求項１〜６のいずれか一項に記載の交換レンズにおいて、
前記第１の送信手段は、前記分光透過率情報を所定周期毎に送信することを特徴とする交換レンズ。
【請求項９】
請求項１〜８のいずれか一項に記載の交換レンズが着脱可能に取り付けられるレンズ取付手段と、
前記分光透過率情報を前記交換レンズから受信する受信手段と、
被写体像を撮像し撮像信号を出力する撮像手段と、
前記分光透過率情報に基づいて、前記撮像手段のゲインを調節するゲイン調節手段と、
を備えることを特徴とするカメラボディ。
【発明の詳細な説明】
【技術分野】
【０００１】
本発明は、交換レンズおよびカメラボディに関する。
【背景技術】
【０００２】
レンズ交換可能なカメラシステムにおいて、交換レンズ側にレンズの光学特性等を予め記憶させておくことがある。カメラボディはこの光学特性等を参照し、交換レンズ毎に適切な制御を行う。例えば特許文献１に記載されているカメラシステムでは、レンズ制御ＣＰＵ内に、分光透過率データを含む画像処理用データが格納されている。カメラ本体側のカメラ制御ＣＰＵは、レンズ制御ＣＰＵから分光透過率データを受信し、撮像素子の感度特性を補正する。
【先行技術文献】
【特許文献】
【０００３】
【特許文献１】特開２００２−３５４４９０号公報
【発明の概要】
【発明が解決しようとする課題】
【０００４】
特許文献１に記載のカメラシステムには、分光透過率データの送信がフォーカス制御に悪影響を与える可能性があるという問題があった。
【課題を解決するための手段】
【０００５】
請求項１に係る発明は、カメラボディが着脱可能に取り付けられる取付手段と、フォーカシングレンズを有する結像光学系と、フォーカシングレンズを駆動してフォーカシングレンズの被駆動状態を変化させる駆動手段と、第１の伝送路を介してカメラボディに結像光学系の分光透過率特性を表す分光透過率情報を送信する第１の送信手段と、第１の伝送路とは異なる第２の伝送路を介してカメラボディにフォーカシングレンズの被駆動状態を送信する第２の送信手段とを備え、分光透過率情報は、画像生成に使用される波長域の各波長に対応する、結像光学系の透過率を表す情報であることを特徴とする交換レンズである。
請求項９に係る発明は、請求項１〜８のいずれか一項に記載の交換レンズが着脱可能に取り付けられるレンズ取付手段と、分光透過率情報を交換レンズから受信する受信手段と、被写体像を撮像し撮像信号を出力する撮像手段と、分光透過率情報に基づいて、撮像手段のゲインを調節するゲイン調節手段と、を備えることを特徴とするカメラボディである。
【発明の効果】
【０００６】
本発明によれば、分光透過率データの送信がフォーカス制御に悪影響を与えることがない。
【図面の簡単な説明】
【０００７】
【図１】本発明を適用したレンズ交換式のカメラシステムを示した斜視図である。
【図２】本発明を適用したレンズ交換式のカメラシステムを示した断面図である。
【図３】保持部１０２，２０２の詳細を示す模式図である。
【図４】コマンドデータ通信の例を示すタイミングチャートである。
【図５】ホットライン通信の例を示すタイミングチャートである。
【図６】分光透過率データの構成を示す図である。
【図７】結像光学系２１０の分光透過率特性の一例を示すグラフである。
【図８】第２の実施の形態における分光透過率データの一例を示す図である。
【図９】第３の実施の形態に係るレンズ交換式のカメラシステムを示した断面図である。
【発明を実施するための形態】
【０００８】
（第１の実施の形態）
図１は、本発明を適用したレンズ交換式のカメラシステムを示した斜視図である。なお、図１では本発明に係わる機器および装置のみを示し、それ以外の機器および装置については図示と説明を省略する。カメラ１は、カメラボディ１００と、カメラボディ１００に着脱可能な交換レンズ２００とから構成される。
【０００９】
カメラボディ１００には交換レンズ２００が着脱可能に取り付けられるレンズマウント１０１が設けられている。カメラボディ１００のレンズマウント１０１の近傍（レンズマウント１０１の内周側）の位置には、レンズマウント１０１の内周側に部分的に突出する状態で、接点を保持する保持部（電気的な接続部）１０２が設けられている。この保持部１０２には複数の接点が設けられている。
【００１０】
また交換レンズ２００には、ボディ側のレンズマウント１０１に対応する、カメラボディ１００が着脱可能に取り付けられるレンズマウント２０１が設けられている。交換レンズ２００のレンズマウント２０１の近傍（レンズマウント２０１の内周側）の位置には、レンズマウント２０１の内周側に部分的に突出する状態で、接点を保持する保持部（電気的な接続部）２０２が設けられている。この保持部２０２には複数の接点が設けられている。
【００１１】
カメラボディ１００に交換レンズ２００が装着されると、複数の接点が設けられた保持部１０２が、複数の接点が設けられた保持部２０２に電気的に且つ物理的に接続される。両保持部１０２，２０２は、カメラボディ１００から交換レンズ２００への電力供給、および、カメラボディ１００と交換レンズ２００との信号の送受信に利用される。
【００１２】
カメラボディ１００内のレンズマウント１０１後方には、例えばＣＭＯＳやＣＣＤなどの撮像素子１０４が設けられる。カメラボディ１００の上方には、入力装置たるボタン１０７が設けられている。カメラボディ１００が電源オフ状態のとき、ユーザによりボタン１０７が押下されると、カメラボディ１００は電源オン状態になる。また、交換レンズ２００の鏡筒側面にも、ボタン１０７と同様のボタン２０７が設けられている。カメラボディ１００が電源オフ状態のとき、カメラボディ１００に取り付けられている交換レンズ２００のボタン２０７がユーザにより押下されると、カメラボディ１００は電源オン状態になる。
【００１３】
図２は、本発明を適用したレンズ交換式のカメラシステムを示した断面図である。交換レンズ２００は、被写体像を結像させる結像光学系２１０を備える。結像光学系２１０は複数のレンズ２１０ａ〜２１０ｃおよび絞り２１１により構成されている。これら複数のレンズ２１０ａ〜２１０ｃには、被写体像のピント位置を制御するためのフォーカシングレンズ２１０ｂが含まれている。
【００１４】
交換レンズ２００はいわゆるズームレンズである。すなわち、結像光学系２１０は焦点距離が可変に構成されており、ユーザは例えば交換レンズ２００に設けられた操作環を回転させる、あるいはカメラボディ１００に設けられたボタン等の操作部材を操作する、等の所定の操作によって結像光学系２１０の焦点距離を変化させることができる。
【００１５】
交換レンズ２００内部には、交換レンズ２００の各部の制御を司るレンズ制御部２０３が設けられている。レンズ制御部２０３は不図示のマイクロコンピュータおよびその周辺回路等から構成される。レンズ制御部２０３には、レンズ側第１通信部２１７、レンズ側第２通信部２１８、レンズ駆動部２１２、レンズ位置検出部２１３、ズーム位置検出部２１４、ＲＯＭ２１５、およびＲＡＭ２１６が接続されている。
【００１６】
レンズ側第１通信部２１７およびレンズ側第２通信部２１８は、保持部１０２、２０２の各通信接点を介して、カメラボディ１００との間で信号の授受が可能に構成されている。このレンズ側第１通信部２１７とレンズ側第２通信部２１８はそれぞれ、交換レンズ２００側の通信インターフェースである。レンズ制御部２０３はこれら通信インターフェースを使って、カメラボディ１００（後述するボディ制御部１０３）との間で後述する各データ通信（ホットライン通信、コマンドデータ通信）を行う。受電部２３０は、カメラボディ１００から保持部１０２、２０２の電力供給接点を介して、カメラボディ１００からレンズ制御部２０３を含む各部の動作電流を受電する。
【００１７】
レンズ駆動部２１２は例えばステッピングモータ等のアクチュエータを有し、レンズ駆動部２１２に入力された信号に応じてフォーカシングレンズ２１０ｂを駆動する。フォーカシングレンズ２１０ｂは、レンズ駆動部２１２により光軸方向に駆動される。レンズ位置検出部２１３は、例えばフォーカシングレンズ２１０ｂに接続されたエンコーダ等により構成され、フォーカシングレンズ２１０ｂの光軸方向の位置を検出する。同様に、ズーム位置検出部２１４は、例えば結像光学系２１０に含まれるズーミングレンズに接続されたエンコーダ等により構成され、現在のズーム位置を検出する。
【００１８】
ＲＯＭ２１５は不揮発性の記憶媒体であり、レンズ制御部２０３が実行する所定の制御プログラムや、後述する各種テーブル等が予め記憶される。ＲＡＭ２１６は揮発性の記憶媒体であり、レンズ制御部２０３により各種データの記憶領域として利用される。
【００１９】
撮像素子１０４の前面には、撮像素子１０４の露光状態を制御するためのシャッター１１５と、光学的ローパスフィルターや赤外線カットフィルターを組み合わせた光学フィルター１１６とが設けられている。結像光学系２１０を透過した被写体光は、シャッター１１５およびフィルター１１６を介して撮像素子１０４に入射する。
【００２０】
カメラボディ１００内部には、カメラボディ１００の各部の制御を司るボディ制御部１０３が設けられている。ボディ制御部１０３は不図示のマイクロコンピュータ、ＲＡＭおよびその周辺回路等から構成される。ボディ制御部１０３には図１に示したボタン１０７が接続されており、ボタン１０７の押下操作を検知することが可能である。
【００２１】
ボディ制御部１０３には、ボディ側第１通信部１１７およびボディ側第２通信部１１８が接続されている。ボディ側第１通信部１１７およびボディ側第２通信部１１８は共に保持部１０２に接続されており、交換レンズ２００との間で信号の授受が可能である。ボディ側第１通信部１１７は、保持部１０２に設けられた複数の通信接点を介して、レンズ側第１通信部２１７とデータの授受を行うことができる。同様に、ボディ側第２通信部１１８はレンズ側第２通信部２１８とデータの授受を行うことができる。換言すれば、ボディ側第１通信部１１７とボディ側第２通信部１１８はそれぞれ、ボディ側の通信インターフェースである。ボディ制御部１０３はこれら通信インターフェースを使って、交換レンズ２００（レンズ制御部２０３）との間で、後述する各通信（ホットライン通信、コマンドデータ通信）を行う。
【００２２】
カメラボディ１００の背面には、ＬＣＤパネル等により構成される表示装置１１１が配置される。ボディ制御部１０３はこの表示装置１１１に対し、撮像素子１０４の出力に基づく被写体の画像（いわゆるスルー画）や、撮影条件等を設定するための各種のメニュー画面を表示する。
【００２３】
（保持部１０２，２０２の説明）
図３は保持部１０２，２０２の詳細を示す模式図である。なお図３において保持部１０２がレンズマウント１０１の右側に配置されているのは、実際のマウント構造に倣ったものである。すなわち、本実施形態の保持部１０２は、カメラボディ１００のレンズマウント１０１のマウント面よりも奥まった場所（図３においてレンズマウント１０１よりも右側の場所）に配置されている。同様に、保持部２０２がレンズマウント２０１の右側に配置されているのは、本実施形態の保持部２０２が交換レンズ２００のレンズマウント２０１のマウント面よりも突出した場所に配置されていることを表している。保持部１０２と保持部２０２がこのように配置されているので、レンズマウント１０１のマウント面とレンズマウント２０１のマウント面とを接触させて、カメラボディ１００と交換レンズ２００とをマウント結合させると、保持部１０２と保持部２０２とが接続され、両保持部に設けられている電気接点同士も接続することになる。このようなマウント構造については周知であるのでこれ以上の説明、図示を省略する。
【００２４】
図３に示すように、保持部１０２にはＢＰ１〜ＢＰ１２の１２個の接点が存在する。また保持部２０２には、上記の１２個の接点にそれぞれ対応する、ＬＰ１〜ＬＰ１２の１２個の接点が存在する。
【００２５】
接点ＢＰ１および接点ＢＰ２は、カメラボディ１００内の送電部１３０に接続されている。送電部１３０は、接点ＢＰ１に、アクチュエータ等の駆動系を有し消費電力が比較的大きい回路（レンズ駆動部２１２等）を除く交換レンズ２００内の各部の動作電圧を供給する。すなわち、接点ＢＰ１および接点ＬＰ１からは、上記の各駆動部を除く交換レンズ２００内の各部の動作電圧が供給される。この接点ＢＰ１に供給可能な電圧値は、最小電圧値〜最大電圧値の範囲（例えば３Ｖ台での電圧幅）をもつが、標準的に供給される電圧値はその最大電圧値と最小電圧値の中間値近傍の電圧値である。そしてこれにより、カメラボディ１００側から交換レンズ２００側に供給される電流値は、電源ＯＮ状態において、約数１０ｍＡ〜数１００ｍＡの範囲内の電流値である。
【００２６】
接点ＢＰ２は、接点ＢＰ１に与えられる上記動作電圧に対応する接地端子である。すなわち、接点ＢＰ２および接点ＬＰ２は、上記の動作電圧に対応する接地端子電圧である。接点ＬＰ１および接点ＬＰ２は、交換レンズ２００内の受電部２３０に接続されている。受電部２３０は、カメラボディ１００から供給された電力を、レンズ制御部２０３を含む交換レンズ２００内の各部に供給する。
【００２７】
以下の説明では、接点ＢＰ１および接点ＬＰ１により構成される信号線を、信号線Ｖ３３と呼ぶ。また、接点ＢＰ２および接点ＬＰ２により構成される信号線を、信号線ＧＮＤと呼ぶ。これらの接点ＬＰ１，ＬＰ２、ＢＰ１，ＢＰ２は、カメラボディ１００側から交換レンズ２００側へ電源供給するための、電源系接点を構成する。
【００２８】
接点ＢＰ３，ＢＰ４，ＢＰ５，およびＢＰ６は、ボディ側第１通信部１１７に接続されている。これらの接点に対応する交換レンズ２００側の接点ＬＰ３，ＬＰ４，ＬＰ５，およびＬＰ６は、レンズ側第１通信部２１７に接続されている。ボディ側第１通信部１１７とレンズ側第１通信部２１７は、これらの接点（通信系接点）を用いて、互いにデータの送受信を行う。ボディ側第１通信部１１７とレンズ側第１通信部２１７が行う通信の内容については、後に詳述する。
【００２９】
なお以下の説明では、接点ＢＰ３および接点ＬＰ３により構成される信号線を、信号線ＣＬＫと呼ぶ。同様に、接点ＢＰ４および接点ＬＰ４により構成される信号線を信号線ＢＤＡＴと、接点ＢＰ５および接点ＬＰ５により構成される信号線を信号線ＬＤＡＴと、接点ＢＰ６および接点ＬＰ６により構成される信号線を信号線ＲＤＹと呼ぶ。
【００３０】
接点ＢＰ７，ＢＰ８，ＢＰ９，およびＢＰ１０は、ボディ側第２通信部１１８に接続されている。これらの接点に対応する交換レンズ２００側の接点ＬＰ７，ＬＰ８，ＬＰ９，およびＬＰ１０は、レンズ側第２通信部２１８に接続されている。レンズ側第２通信部２１８は、これらの接点（通信系接点）を用いて、ボディ側第２通信部１１８にデータの送信を行う。ボディ側第２通信部１１８とレンズ側第２通信部２１８が行う通信の内容については、後に詳述する。
【００３１】
なお以下の説明では、接点ＢＰ７および接点ＬＰ７により構成される信号線を、信号線ＨＲＥＱと呼ぶ。同様に、接点ＢＰ８および接点ＬＰ８により構成される信号線を信号線ＨＡＮＳと、接点ＢＰ９および接点ＬＰ９により構成される信号線を信号線ＨＣＬＫと、接点ＢＰ１０および接点ＬＰ１０により構成される信号線を信号線ＨＤＡＴと呼ぶ。
【００３２】
接点ＢＰ１１および接点ＢＰ１２は、カメラボディ１００内の電源回路１４０に接続されている。電源回路１４０は、接点ＢＰ１２に、アクチュエータ等の駆動系を有し消費電力が比較的大きい回路（レンズ駆動部２１２等）の駆動電圧を供給する。すなわち、接点ＢＰ１２および接点ＬＰ１２からは、上記の各駆動部の駆動電圧が供給される。この接点ＢＰ１２に供給可能な電圧値は、最小電圧値〜最大電圧値の範囲をもつが、その範囲はいずれも、前述した接点ＢＰ１に供給可能な電圧値範囲よりも大きい電圧値である（例えば、接点ＢＰ１２に供給可能な最大電圧値は、接点ＢＰ１に供給可能な最大電圧値の数倍程度）。即ち接点ＢＰ１２に供給される電圧値は、上述の接点ＢＰ１に供給される電圧値とは、その大きさが異なる電圧値である。なお接点ＢＰ１２に標準的に供給される電圧値は、接点ＢＰ１２に供給可能な最大電圧値と最小電圧値の中間値近傍の電圧値である。そしてこれにより、カメラボディ１００側から交換レンズ２００側に供給される電流は、電源ＯＮ状態において、約１０ｍＡ〜数Ａの電流値となる。
【００３３】
接点ＢＰ１１は、接点ＢＰ１２に与えられる上記駆動電圧に対応する接地端子である。すなわち、接点ＢＰ１１および接点ＬＰ１１は、上記駆動電圧に対応する接地端子である。
【００３４】
以下の説明では、接点ＢＰ１１および接点ＬＰ１１により構成される信号線を、信号線ＰＧＮＤと呼ぶ。また、接点ＢＰ１２および接点ＬＰ１２により構成される信号線を、信号線ＢＡＴと呼ぶ。これらの接点ＬＰ１１，ＬＰ１２、ＢＰ１１，ＢＰ１２は、カメラボディ１００側から交換レンズ２００側へ電源供給するための、電源系接点を構成する。
【００３５】
なお、上述の接点ＢＰ１２、接点ＬＰ１２に供給される電圧値（電流値）と、接点ＢＰ１，ＬＰ１に供給される電圧値（電流値）との大小関係から明らかなように、それら各接点に供給される電圧にそれぞれに対する接地端子となる接点ＢＰ１１および接点ＬＰ１１を流れる電流の最大値と最小値との差は、接点ＢＰ２および接点ＬＰ２を流れる電流の最大値と最小値との差よりも大きくなっている。これは、アクチュエータ等の駆動系を有する各駆動部が消費する電力が、交換レンズ２００内のレンズ制御部２０３等の電子回路に比べて大きいこと、ならびに、被駆動部材を駆動する必要がない場合には各駆動部が電力を消費しないことに拠る。
【００３６】
（コマンドデータ通信の説明）
レンズ制御部２０３は、レンズ側第１通信部２１７を制御して、接点ＬＰ３〜ＬＰ６、すなわち信号線ＣＬＫ，ＢＤＡＴ，ＬＤＡＴ，およびＲＤＹを介して、ボディ側第１通信部１１７からの制御データの受信と、ボディ側第１通信部１１７への応答データの送信とを並行して、第１の所定周期（本実施形態では例えば１６ミリ秒）で行う。以下、レンズ側第１通信部２１７とボディ側第１通信部１１７との間で行われる通信の詳細を説明する。
【００３７】
なお、本実施形態において、レンズ制御部２０３およびレンズ側第１通信部２１７と、ボディ制御部１０３およびボディ側第１通信部１１７との間で行われる通信を「コマンドデータ通信」と称する。また、コマンドデータ通信に利用される４つの信号線（信号線ＣＬＫ，ＢＤＡＴ，ＬＤＡＴ，およびＲＤＹ）から成る伝送路を第１伝送路と称する。
【００３８】
図４は、コマンドデータ通信の例を示すタイミングチャートである。ボディ制御部１０３およびボディ側第１通信部１１７は、コマンドデータ通信の開始時（Ｔ１）、まず信号線ＲＤＹの信号レベルを確認する。信号線ＲＤＹの信号レベルはレンズ側第１通信部２１７の通信可否を表している。つまり、信号線ＲＤＹにはレンズ側第１通信部２１７から、データ通信の可否を表す通信可否信号が出力される。レンズ制御部２０３およびレンズ側第１通信部２１７は、通信できない状態である場合には、接点ＬＰ６からＨ（Ｈｉｇｈ）レベルの信号を出力する。すなわち、信号線ＲＤＹの信号レベルをＨレベルにする。ボディ制御部１０３およびボディ側第１通信部１１７は、信号線ＲＤＹがＨレベルである場合、これがＬレベルになるまで通信開始しない。また通信中の次の処理を実行しない。
【００３９】
信号線ＲＤＹがＬ（Ｌｏｗ）レベルであれば、ボディ制御部１０３およびボディ側第１通信部１１７は接点ＢＰ３からクロック信号４０１を出力する。すなわち、信号線ＣＬＫを介してレンズ側第１通信部２１７にクロック信号４０１を伝送する。ボディ制御部１０３およびボディ側第１通信部１１７はこのクロック信号４０１に同期して、接点ＢＰ４から制御データの前半部分であるボディ側コマンドパケット信号４０２を出力する。すなわち、信号線ＢＤＡＴを介してレンズ側第１通信部２１７にボディ側コマンドパケット信号４０２を伝送する。
【００４０】
また、信号線ＣＬＫにクロック信号４０１が出力されると、レンズ制御部２０３およびレンズ側第１通信部２１７は、クロック信号４０１に同期して接点ＬＰ５から応答データの前半部分であるレンズ側コマンドパケット信号４０３を出力する。すなわち、信号線ＬＤＡＴを介してボディ側第１通信部１１７にレンズ側コマンドパケット信号４０３を伝送する。
【００４１】
レンズ制御部２０３およびレンズ側第１通信部２１７は、レンズ側コマンドパケット信号４０３の送信完了に応じて、信号線ＲＤＹの信号レベルをＨレベルにする（Ｔ２）。レンズ制御部２０３は、受信したボディ側コマンドパケット信号４０２の内容に応じた処理である第１制御処理４０４（後述）を開始する。
【００４２】
レンズ制御部２０３は第１制御処理４０４が完了すると、レンズ側第１通信部２１７に第１制御処理４０４の完了を通知する。レンズ側第１通信部２１７はこの通知に応じて、接点ＬＰ６からＬレベルの信号を出力する。すなわち、信号線ＲＤＹの信号レベルをＬレベルにする（Ｔ３）。ボディ制御部１０３およびボディ側第１通信部１１７はこの信号レベルの変化に応じて、接点ＢＰ３からクロック信号４０５を出力する。すなわち、信号線ＣＬＫを介してレンズ側第１通信部２１７にクロック信号４０５を伝送する。
【００４３】
ボディ制御部１０３およびボディ側第１通信部１１７はこのクロック信号４０５に同期して、接点ＢＰ４から制御データの後半部分であるボディ側データパケット信号４０６を出力する。すなわち、信号線ＢＤＡＴを介してレンズ側第１通信部２１７にボディ側データパケット信号４０６を伝送する。
【００４４】
また、信号線ＣＬＫにクロック信号４０５が出力されると、レンズ制御部２０３およびレンズ側第１通信部２１７はクロック信号４０５に同期して接点ＬＰ５から応答データの後半部分であるレンズがデータパケット信号４０７を出力する。すなわち、信号線ＬＤＡＴを介してボディ側第１通信部１１７にレンズ側データパケット信号４０７を伝送する。
【００４５】
レンズ制御部２０３およびレンズ側第１通信部２１７は、レンズ側データパケット信号４０７の送信完了に応じて、信号線ＲＤＹの信号レベルを再びＨレベルにする（Ｔ４）。レンズ制御部２０３は、受信したボディ側データパケット信号４０６の内容に応じた処理である第２制御処理４０８（後述）を開始する。
【００４６】
以上のように、レンズ側第１通信部２１７は、カメラボディ１００からクロック信号が出力される信号線ＣＬＫと、カメラボディ１００からクロック信号に同期してデータ信号が出力される信号線ＢＤＡＴと、レンズ側第１通信部２１７からクロック信号に同期してデータ信号が出力される信号線ＬＤＡＴと、レンズ側第１通信部２１７からレンズ側第１通信部２１７のデータ通信の可否を表す通信可否信号が出力される信号線ＲＤＹと、を用いてカメラボディ１００とのデータ通信を行う。
【００４７】
ここで、レンズ制御部２０３が行う第１制御処理４０４、および第２制御処理４０８について述べる。
【００４８】
例えば、受信したボディ側コマンドパケット信号４０２が、交換レンズ側の特定のデータを要求する内容であった場合について述べる。レンズ制御部２０３は、第１制御処理４０４として、コマンドパケット信号４０２の内容を解析処理すると共に、当該要求されている特定データを生成する処理を実行する。更にレンズ制御部２０３は、第１制御処理４０４として、コマンドパケット信号４０２に含まれているチェックサムデータを用いて、コマンドパケット信号４０２の通信にエラーがないか否かをデータバイト数から簡易的にチェックする通信エラーチェック処理をも実行する。この第１制御処理４０４で生成された特定データの信号は、レンズ側データパケット信号４０７としてボディ側に出力される。なお、この場合においてコマンドパケット信号４０２の後でボディ側から出力されるボディ側データパケット信号４０６は、レンズ側にとっては特に意味をなさないダミーデータ信号（チェックサムデータは含む）となっている。この場合にはレンズ制御部２０３は、第２制御処理４０８として、ボディ側データパケット信号４０６に含まれるチェックサムデータを用いた、上述の如き通信エラーチェック処理を実行する。
【００４９】
また例えば、受信したボディ側コマンドパケット信号４０２が、レンズ側の被駆動部材を駆動する指示であった場合について述べる。例えば、コマンドパケット信号４０２がフォーカシングレンズ２１０ｂの駆動指示であり、受信したボディ側データパケット信号４０６がフォーカシングレンズ２１０ｂの駆動量であった場合について述べる。レンズ制御部２０３は、第１制御処理４０４として、コマンドパケット信号４０２の内容を解析処理すると共に、その内容を理解したことを表す了解信号を生成する。更にレンズ制御部２０３は、第１制御処理４０４として、コマンドパケット信号４０２に含まれているチェックサムデータを用いて、上述の如き通信エラーチェック処理をも実行する。この第１制御処理４０４で生成された了解信号は、レンズ側データパケット信号４０７としてボディ側に出力される。またレンズ制御部２０３は、第２制御処理４０８として、ボディ側データパケット信号４０６の内容の解析処理を実行すると共に、ボディ側データパケット信号４０６に含まれるチェックサムデータを用いた上述の如き通信エラーチェック処理を実行する。
【００５０】
レンズ制御部２０３は第２制御処理４０８が完了すると、レンズ側第１通信部２１７に第２制御処理４０８の完了を通知する。これによってレンズ制御部２０３は、レンズ側第１通信部２１７に、接点ＬＰ６からＬレベルの信号を出力させる。すなわち、信号線ＲＤＹの信号レベルをＬレベルにする（Ｔ５）。
【００５１】
なお受信したボディ側コマンドパケット信号４０２が、上述のようなレンズ側の被駆動部材（たとえばフォーカシングレンズ２１０ｂ）を駆動する指示であった場合、レンズ制御部２０３は、レンズ側第１通信部２１７に信号線ＲＤＹの信号レベルをＬレベルにさせつつ、レンズ駆動部２１２に対して、フォーカシングレンズ２１０ｂを当該駆動量だけ駆動する処理を実行させる。
【００５２】
上述した時刻Ｔ１〜時刻Ｔ５に行われた通信が、１回のコマンドデータ通信である。上述のように、１回のコマンドデータ通信では、ボディ制御部１０３およびボディ側第１通信部１１７により、ボディ側コマンドパケット信号４０２およびボディ側データパケット信号４０６がそれぞれ１つずつ送信される。すなわち、処理の都合上２つに分割されて送信されるものの、ボディ側コマンドパケット信号４０２およびボディ側データパケット信号４０６は２つ合わせて１つの制御データを構成する。
【００５３】
同様に、１回のコマンドデータ通信では、レンズ制御部２０３およびレンズ側第１通信部２１７によりレンズ側コマンドパケット信号４０３およびレンズ側データパケット信号４０７がそれぞれ１つずつ送信される。すなわち、レンズ側コマンドパケット信号４０３およびレンズ側データパケット信号４０７は２つ合わせて１つの応答データを構成する。
【００５４】
以上のように、レンズ制御部２０３およびレンズ側第１通信部２１７は、ボディ側第１通信部１１７からの制御データの受信と、ボディ側第１通信部１１７への応答データの送信とを並行して行う。コマンドデータ通信に利用される接点ＬＰ６および接点ＢＰ６は、他のクロック信号に同期しない非同期信号（信号線ＲＤＹの信号レベル／Ｈ（Ｈｉｇｈ）レベル、またはＬ（Ｌｏｗ）レベル）が伝送される接点である。
【００５５】
（ホットライン通信の説明）
レンズ制御部２０３は、レンズ側第２通信部２１８を制御して、接点ＬＰ７〜ＬＰ１０、すなわち信号線ＨＲＥＱ，ＨＡＮＳ，ＨＣＬＫ，およびＨＤＡＴを介して、ボディ側第２通信部１１８へレンズ位置データを送信する。以下、レンズ側第２通信部２１８とボディ側第２通信部１１８との間で行われる通信の詳細を説明する。
【００５６】
なお、本実施形態において、レンズ制御部２０３およびレンズ側第２通信部２１８と、ボディ制御部１０３およびボディ側第２通信部１１８との間で行われる通信を「ホットライン通信」と称する。また、ホットライン通信に利用される４つの信号線（信号線ＨＲＥＱ，ＨＡＮＳ，ＨＣＬＫ，およびＨＤＡＴ）から成る伝送路を第２伝送路と称する。
【００５７】
図５は、ホットライン通信の例を示すタイミングチャートである。本実施形態のボディ制御部１０３は、ホットライン通信を第２の所定周期（本実施形態では例えば１ミリ秒）毎に開始するように構成されている。この周期は、コマンドデータ通信を行う周期よりも短い。図５（ａ）は、ホットライン通信が所定周期Ｔｎ毎に繰り返し実行されている様子を示す図である。繰り返し実行されるホットライン通信のうち、ある１回の通信の期間Ｔｘを拡大した様子が図５（ｂ）に示されている。以下、図５（ｂ）のタイミングチャートに基づいて、ホットライン通信の手順を説明する。
【００５８】
ボディ制御部１０３およびボディ側第２通信部１１８は、ホットライン通信の開始時（Ｔ６）、まず接点ＢＰ７からＬレベルの信号を出力する。すなわち、信号線ＨＲＥＱの信号レベルをＬレベルにする。レンズ側第２通信部２１８は、この信号が接点ＬＰ７に入力されたことをレンズ制御部２０３に通知する。レンズ制御部２０３はこの通知に応じて、レンズ位置データを生成する生成処理５０１の実行を開始する。生成処理５０１とは、レンズ制御部２０３がレンズ位置検出部２１３にフォーカシングレンズ２１０ｂの位置を検出させ、検出結果を表すレンズ位置データを生成する処理である。
【００５９】
レンズ制御部２０３が生成処理５０１を実行完了すると、レンズ制御部２０３およびレンズ側第２通信部２１８は接点ＬＰ８からＬレベルの信号を出力する（Ｔ７）。すなわち、信号線ＨＡＮＳの信号レベルをＬレベルにする。ボディ制御部１０３およびボディ側第２通信部１１８は、この信号が接点ＢＰ８に入力されたことに応じて、接点ＢＰ９からクロック信号５０２を出力する。すなわち、信号線ＨＣＬＫを介してレンズ側第２通信部２１８にクロック信号を伝送する。
【００６０】
レンズ制御部２０３およびレンズ側第２通信部２１８は、このクロック信号５０２に同期して、接点ＬＰ１０からレンズ位置データを表すレンズ位置データ信号５０３を出力する。すなわち、信号線ＨＤＡＴを介してボディ側第２通信部１１８にレンズ位置データ信号５０３を伝送する。
【００６１】
レンズ位置データ信号５０３の送信が完了すると、レンズ制御部２０３およびレンズ側第２通信部２１８は接点ＬＰ８からＨレベルの信号を出力する。すなわち、信号線ＨＡＮＳの信号レベルをＨレベルにする（Ｔ８）。ボディ側第２通信部１１８は、この信号が接点ＢＰ８に入力されたことに応じて、接点ＬＰ７からＨレベルの信号を出力する。すなわち、信号線ＨＲＥＱの信号レベルをＨレベルにする（Ｔ９）。
【００６２】
上述した時刻Ｔ６〜時刻Ｔ９に行われた通信が、１回のホットライン通信である。上述のように、１回のホットライン通信では、レンズ制御部２０３およびレンズ側第２通信部２１８により、レンズ位置データ信号５０３が１つ送信される。ホットライン通信に利用される接点ＬＰ７、ＬＰ８、ＢＰ７、およびＢＰ８は、他のクロック信号に同期しない非同期信号が伝送される接点である。つまり接点ＬＰ７およびＢＰ７は、非同期信号（信号線ＨＲＥＱの信号レベル／Ｈ（Ｈｉｇｈ）レベル、またはＬ（Ｌｏｗ）レベル）が伝送される接点であり、接点ＬＰ８およびＢＰ８は、非同期信号（信号線ＨＡＮＳの信号レベル／Ｈ（Ｈｉｇｈ）レベル、またはＬ（Ｌｏｗ）レベル）が伝送される接点である。
【００６３】
なお、コマンドデータ通信とホットライン通信は、同時にも或いは一部並行的にも実行することが可能である。すなわち、レンズ側第１通信部２１７とレンズ側第２通信部２１８との一方は、その他方がカメラボディ１００と通信を行っている場合であってもカメラボディ１００と通信を行うことが可能である。
【００６４】
（分光透過率データの説明）
本実施形態のレンズ側制御部２０３は、結像光学系２１０の分光透過率特性を表す分光透過率データをカメラボディ１００に送信する。この分光透過率データはＲＯＭ２１５に予め記憶されている。この分光透過率データとしては、画像として再生するのに必要な（画像生成する際に使用される）波長域の波長毎に対応する分光透過率が記憶されている。以下、本実施形態における具体的な分光透過率データについて説明する。
【００６５】
図６は、分光透過率データの構成を示す図である。本実施形態において分光透過率データ１０は、３８０ｎｍから７８０ｎｍまで１０ｎｍ毎に選択された４１通りの波長の各々に対応する、結像光学系２１０の光軸近傍における透過率を表すデータである。なお、３８０ｎｍから７８０ｎｍという波長域は、可視光線の波長域に対応している。各々の透過率Ｒ１〜Ｒ４１は、０％〜１００％を表す数値である。透過率はどのような符号化方式で表現してもよい。例えば各透過率を１バイトの符号なし整数とし、０％〜１００％の透過率をそれぞれ０〜２５５の値で表現してもよいし、浮動小数点数により０％〜１００％の透過率をそれぞれ０．０〜１．０という値で表現してもよい。
【００６６】
分光透過率データ１０を構成する透過率の数は、ＲＯＭ２１５の容量や通信時間等の観点からは、できるだけ少ないことが望ましい。本実施形態の分光透過率データ１０において、波長域の刻みが１０ｎｍとなっているのは、分光透過率データ１０の肥大化を避けながら、必要十分に分光透過率特性の精度を確保するためである。
【００６７】
ボディ側制御部１０３は初期通信時、第２伝送路３２０を介して交換レンズ２００に分光透過率データ１０を要求する。レンズ側制御部２０３はこの要求に応じて、ＲＯＭ２１５に記憶されている分光透過率データ１０を、第２伝送路３２０を介してカメラボディ１００に送信する。
【００６８】
なお、ここでいう初期通信とは、例えばカメラボディ１００の電源スイッチがＯＦＦからＯＮになった時や、カメラボディ１００に交換レンズ２００が取り付けられた時に、ボディ側制御部１０３およびレンズ側制御部２０３により実行される通信のことを指す。初期通信において、ボディ側制御部１０３およびレンズ側制御部２０３は、結像光学系２１０の特性を表すデータやカメラボディ１００の特性を表すデータの授受を行う。
【００６９】
ボディ側制御部１０３は受信した分光透過率データ１０を不図示のＲＡＭに記憶させる。そして、この分光透過率データ１０に基づいて、撮像素子１０４に対し、後述のゲイン調節処理を実行する。
【００７０】
（ゲイン調節処理の説明）
ゲイン調節処理は、撮像素子１０４が有する受光素子の出力ゲインを調節することにより、撮像信号のホワイトバランスを適正なものにする処理である。以下、本処理について説明する。
【００７１】
撮像素子１０４の撮像面には、被写体光を受光し光量に応じた電気信号を出力する受光素子が二次元状に多数配列されている。これらの受光素子の表面には、各受光素子の位置に対応するように、それぞれ赤（Ｒ）、緑（Ｇ）、青（Ｂ）のカラーフィルタが設けられている。カラーフィルタが設けられていることにより、撮像素子１０４から出力される撮像信号は、それぞれＲＧＢ表色系の色情報を有することとなる。
【００７２】
他方、撮像素子１０４の各受光素子には、入射光の波長毎に感度特性が存在する。つまり、例えば３８０ｎｍの波長の入射光と７８０ｎｍの波長の入射光とでは、光量が同一でも出力される電気信号が異なることがある。これにより、撮像信号において、例えば青（Ｂ）が緑（Ｇ）よりも弱くなるという現象が発生しうる。そこで、カメラボディ１００内のＲＯＭ（不図示）には、予め撮像素子１０４の分光感度特性を表す分光感度データが格納されている。ボディ制御部１０３は、この分光感度データとレンズ側第１通信部から受信した結像光学系２１０の分光透過率データ１０とに基づいて、赤（Ｒ）、緑（Ｇ）、青（Ｂ）の各々に対応する受光素子の出力ゲインを調節し、撮像素子１０４から出力される撮像信号のホワイトバランスを適正な状態に保つ。
【００７３】
上述した第１の実施の形態によるカメラシステムによれば、次の作用効果が得られる。
（１）レンズ駆動部２１２は、フォーカシングレンズ２１０ｂを駆動してフォーカシングレンズ２１０ｂの光軸方向の位置を変化させる。レンズ側第２通信部２１８は、第２伝送路を介してカメラボディ１００にフォーカシングレンズ２１０ｂの位置を送信する。レンズ側第１通信部２１７は、第１伝送路を介してカメラボディ１００に、画像生成に使用される波長域の各波長に対応する、結像光学系２１０の透過率を表す分光透過率データ１０を送信する。このようにフォーカシングレンズ位置の情報を送信する伝送路とは個別に設けられた伝送路を用いて分光透過率データ１０の送信を行うようにしたので、フォーカシングレンズ２１０ｂの制御に悪影響を与えることがない。
【００７４】
（２）十分な通信間隔（本実施形態では１６ｍｓｅｃ周期）を持つコマンドデータ通信系を用いて分光透過率情報を送信するよう構成したので、比較的データ容量の大きな分光透過率情報であっても通信期間的に余裕を持って確実にデータ送信を行うことができる。
【００７５】
（３）３８０ｎｍから７８０ｎｍまで１０ｎｍ毎に選択された４１通りの波長の各々に対応する、結像光学系２１０の光軸近傍における透過率を表す分光透過率データ１０を送信するように構成したので、ボディ側に送信すべき分光透過率データ１０の送信量が必要以上に大容量にならずに済み、データ通信の高速化に寄与できる。
【００７６】
（４）ボディ制御部１０３は、ボディ側第１通信部１１７により受信された分光透過率データ１０に基づいて、撮像素子１０４のゲインを調節する。このようにしたので、交換レンズ２００の分光透過率特性に応じた正確なホワイトバランスを得ることができる。
【００７７】
（第２の実施の形態）
第２の実施の形態に係るカメラシステムは、第１の実施の形態と同様の構成を備えるが、分光透過率データの構造が図６に示したものとは異なっている。以下、第１の実施の形態に係るカメラシステムと同一の構成については同一の符号を付し、説明を省略する。
【００７８】
図７は、結像光学系２１０の分光透過率特性の一例を示すグラフである。このグラフは横軸が波長、縦軸が当該波長の光の透過率をそれぞれ表している。図７に示すように、一般に分光透過率は、可視光の短波長寄りの波長域において変化が激しくなっている。そこで本実施形態では、分光透過率データにおいて、変化が急峻な波長域において、波長の刻みを細かくすることにより、分光透過率データの精度を向上させている。
【００７９】
図８は、第２の実施の形態における分光透過率データの一例を示す図である。この分光透過率データ２０には、図６に示した分光透過率データ１０に加えて更に、Ｒ１Ａ、Ｒ２Ａ、…という新たな透過率が含まれている。本実施形態では、１０ｎｍ毎に選択された、３８０ｎｍ〜７８０ｎｍにおける４１通りの波長について、隣り合う２つの波長の透過率の差が所定量（例えば３％）以上である場合、その２つの波長の間の波長に対応する透過率が分光透過率データ２０に含まれるようにした。前述の通り、透過率の変化は短波長寄りの波長域において大きいため、図８では３８０ｎｍと５５０ｎｍとの間において、隣り合う２つの波長の透過率の差が所定量以上となっている。これにより、３８５ｎｍの波長に対応する透過率Ｒ１Ａ、３９５ｎｍの波長に対応する透過率Ｒ２Ａ、…、５４５ｎｍの波長に対応する透過率Ｒ１７Ａが分光透過率データ２０に含まれる。
【００８０】
上述した第２の実施の形態によるカメラシステムによれば、次の作用効果が得られる。
（１）分光透過率データ２０は、１０ｎｍ毎に選択された４１通りの波長について、隣り合う２つの波長の透過率の差が所定量以上である場合、その２つの波長の間の波長に対応する透過率を含む。このようにしたので、分光透過率データ２０のデータ量の増加を最小限に保ちつつ、分光透過率特性の精度を向上させることができる。
【００８１】
（第３の実施の形態）
図９は、第３の実施の形態に係るレンズ交換式のカメラシステムを示した断面図である。第３の実施の形態に係るカメラシステム２は、第１の実施の形態のカメラシステム１と同様の構成を備えるが、新たに減光フィルタ（ＮＤフィルタ）２２０を内蔵する。以下、第１の実施の形態に係るカメラシステムと同一の構成については同一の符号を付し、説明を省略する。
【００８２】
カメラシステム２は、カメラボディ１００と交換レンズ４００とから成る。交換レンズ４００は、第１の実施の形態に係る交換レンズ２００の各部に加えて、減光フィルタ２２０とフィルタ検知部２２１とを備える。減光フィルタ２２０は、結像光学系２１０を透過する光量を減少させる光学フィルタである。減光フィルタ２２０は、不図示の駆動機構により結像光学系２１０の光路上の作用位置（図９において実線で示す位置）と結像光学系２１０の光路から外れた退避位置（図９において破線で示す位置）とを移動可能に構成されている。ユーザはカメラボディ１００に対して所定の操作を行うことにより、減光フィルタ２２０を作用位置と退避位置との間で移動させることができる。減光フィルタ２２０を作用位置に移動させることにより、絞り２１１の開口径を変化させることなく、結像光学系２１０の透過光量を減少させることが可能となる。フィルタ検知部２２１は、結像光学系２１０の光路上の減光フィルタ２２０の有無を検知する。つまり、減光フィルタ２２０が作用位置にあるのか、それとも退避位置にあるのかを検知する。
【００８３】
ところで、減光フィルタ２２０のような光学フィルタが結像光学系２１０と組み合わされた場合、そのような光学系の分光透過率特性は、減光フィルタ２２０を含まない結像光学系２１０から変化する。そこで、本実施形態のＲＯＭ２１５には、図６に示した構成の分光透過率データを、結像光学系２１０のみを考慮したものと、減光フィルタ２２０の影響を加味したものと、の２つが記憶されるようにしている。本実施形態のレンズ制御部２０３は、フィルタ検知部２２１により減光フィルタ２２０が退避位置にあることが検知された場合、結像光学系２１０のみを考慮した分光透過率データをレンズ側第１通信部２１７に送信させる。他方、フィルタ検知部２２１により減光フィルタ２２０が作用位置にあることが検知された場合、減光フィルタ２２０を考慮した分光透過率データをレンズ側第１通信部２１７に送信させる。
【００８４】
なお、ＲＯＭ２１５にこれら２種類の分光透過率データを格納するのではなく、演算により減光フィルタ２２０を考慮した分光透過率データを作成するようにしてもよい。例えば、減光フィルタ２２０の存在が分光透過率特性に与える影響を多項式の係数として保持する。そして、フィルタ検知部２２１により減光フィルタ２２０が作用位置にあることが検知された場合、レンズ制御部２０３が上記の係数を用いた演算を分光透過率データ１０に適用し、新たな分光透過率データを作成する。カメラボディ１００には、この新たな分光透過率データが送信されるようにすればよい。
【００８５】
本実施形態では、カメラボディ１００に送信すべき分光透過率データが、カメラシステム２の動作中に変化しうる。そこで、本実施形態のレンズ制御部２０３は、分光透過率データを初期通信において送信する代わりに、カメラボディ１００が電源オン状態の間、所定周期毎に繰り返し分光透過率データを送信する。この所定周期は例えば撮像素子１０４の画像出力周期に応じた周期とすることができる。例えば撮像素子１０４の画像出力周期が毎秒６０フレーム（約１６ミリ秒につき１フレーム）であれば、約１６ミリ秒毎に分光透過率データが送信される。
【００８６】
上述した第３の実施の形態によるカメラシステムによれば、次の作用効果が得られる。
（１）結像光学系２１０の光路上の作用位置と、結像光学系２１０の光路から外れた退避位置とを移動可能な減光フィルタ２２０を備える。フィルタ検知部２２１は、結像光学系２１０の光路上の減光フィルタ２２０の有無を検知する。レンズ側第１通信部２１７は、フィルタ検知部２２１により減光フィルタ２２０の光路上の存在が検知された場合には、結像光学系２１０と減光フィルタ２２０とを組み合わせた光学系の分光透過率特性を表す分光透過率データを送信する。このようにしたので、減光フィルタ２２０の特性を考慮した最適な分光透過率データをカメラボディ１００に送信することが可能となる。
【００８７】
（２）レンズ側第１通信部２１７は、分光透過率データ２０を所定周期毎に送信する。このようにしたので、減光フィルタ２２０の現在の状態に応じた最新の分光透過率データを利用することができる。
【００８８】
次のような変形も本発明の範囲内であり、変形例の一つ、もしくは複数を上述の実施形態と組み合わせることも可能である。
【００８９】
（変形例１）
第２の実施の形態において、レンズ側第１通信部２１７が、所定周期毎ではなく、フィルタ検知部２２１による減光フィルタ２２０の光路上の有無の検知結果が変化したことに応じて分光透過率データ２０を送信するようにしてもよい。このようにすることで、データ通信の制御が複雑になる代わりに、第１伝送路の通信量を削減することが可能となる。
【００９０】
（変形例２）
第３の実施の形態において、減光フィルタ２２０は他の種類の光学フィルタであってもよい。例えば色温度変換フィルタ等、種々の光学フィルタを用いることが可能である。
【００９１】
（変形例３）
第３の実施の形態において、光学フィルタを交換レンズ４００に内蔵しなくてもよい。例えばフィルタ検知部２２０が、交換レンズ４００の前面に取り付けられた光学フィルタを検知可能に構成し、レンズ制御部２０３がこの検知結果に応じて異なる分光透過率データを送信するようにしてもよい。この場合、光学フィルタの種類等を別途レンズ制御部２０３が検知可能に構成し、その結果に応じて結像光学系２１０の分光透過率データを加工するのが望ましい。
【００９２】
（変形例４）
第３の実施の形態において、分光透過率データが所定周期毎に送られるのではなく、フィルタ検知部２２１による減光フィルタ２２０の有無の検知結果が変化したことに応じて分光透過率データが送信されるようにしてもよい。このようにすることで、必要でない場合には分光透過率データが送信されず、通信データ量を削減することが可能となる。
【００９３】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００９４】
１…カメラシステム、１０、２０…分光透過率データ、１００…カメラボディ、１０１、２０１…レンズマウント、１０２、２０２…保持部、１０３…ボディ制御部、１０４…撮像素子、１１１…表示装置、１１７…ボディ側第１通信部、１１８…ボディ側第２通信部、２００、４００…交換レンズ、２０３…レンズ制御部、２１０…結像光学系、２１０ｂ…フォーカシングレンズ、２１２…レンズ駆動部、２１３…レンズ位置検出部、２１４…ズーム位置検出部、２１５…ＲＯＭ、２１６…ＲＡＭ、２１７…レンズ側第１通信部、２１８…レンズ側第２通信部、２２０…減光フィルタ、２２１…フィルタ検知部
【図１】
2013003262.tif 000003
【図２】
2013003262.tif 000004
【図３】
2013003262.tif 000005
【図４】
2013003262.tif 000006
【図５】
2013003262.tif 000007
【図６】
2013003262.tif 000008
【図７】
2013003262.tif 000009
【図８】
2013003262.tif 000010
【図９】
2013003262.tif 000011